(57)【要約】      （修正有）【課題】刃釜自体に磁性を持たせ、また小物検知範囲をカバーする為のリング状発熱体を組み合わせる事で、磁束を有効に吸収し渦電流を発生させるＩＨ対応釜飯かまどを提供する。【解決手段】刃釜１自体に磁束がかかる様に、刃釜底部外周に磁性金属３を溶着させ、また、小物検知範囲７内にある刃釜に対し磁束８を受け易くする為、磁性金属や非磁性金属の表面に磁性金属を溶着させたリング状の発熱体を設け、刃釜底部とリング状の発熱体に渦電流を発生させ加熱出来るようにしてＩＨ対応釜飯かまどを構成する。【選択図】図１
0003156912.tif 000002
【実用新案登録請求の範囲】
【請求項１】
磁性金属や非磁性金属の表面に磁性金属を溶着させたリング状の発熱体を、アルミ製のハカマと刃釜の間に挿入し、アルミ製刃釜底部外周に磁性金属を溶着させ、刃釜の底部とリング状の発熱体をかえして渦電流を発生させ、加熱出来るようにした、ＩＨ対応アルミ製釜飯かまど。
【請求項２】
請求項１に記載されたリング状の発熱体は、電磁調理器に採用されてい
0003156912.tif 000011
りも大きく作り、また、熱変形の影響を受け難いように肉厚３ｍｍ以上の磁性体金属や、非磁性体金属の表面に磁性金属を溶着させた発熱リングを挿入する、ＩＨ対応アルミ製釜飯かまど。
【請求項３】
請求項１に記載されたリング状の発熱体は、小物検知器の作動範囲より小さな刃釜でも渦電流を発生させ加熱させる為に、発熱リングの底部を
0003156912.tif 000012
発生させ加熱出来る様に加工した、ＩＨ対応アルミ製釜飯かまど。
【考案の詳細な説明】
【技術分野】
【０００１】本考案は、アルミ製釜飯かまどを電磁調理器に使用出来る様にしたものである。
【背景技術】
【０００２】従来のアルミ製釜飯かまどは、固形燃料や小型ガスコンロ用に作られたもので、刃釜の材質が非磁性体である為、電磁調理器では使用が出来ない。また、電磁調理器には小物検知機能が付加されており、釜飯用の刃釜等の底部の直径が検知範囲内に入る器は、作動出来なかった。
【考案の開示】
【考案が解決しようとする課題】
【０００３】そこで、刃釜の底部外周に磁性金属を溶着させ、更に磁性金属や非磁性金属の表面に磁性金属を溶着させたリング状の発熱体を挿入し、刃釜の底部とリング状の発熱体をかえして渦電流を発生させる機構を設けたＩＨ対応アルミ製釜飯かまどが本考案によって創案された。【０００４】本考案は、以下の（ａ）〜（ｃ）を目的とする。
（ａ）本考案は、磁性金属や非磁性金属の表面に磁性金属を溶着させたリング状の発熱体を、アルミ製のハカマと刃釜の間に挿入し、またアルミ製刃釜底部外周に磁性金属を溶着させ、刃釜の底部とリング状の発熱体をかえして渦電流を発生させ加熱出来る様にした、ＩＨ対応アルミ製釜飯かまどを提供する事、を目的とする。
0003156912.tif 000003
渦電流の発生を防止）に関係なく、渦電流を発生させ加熱出来る様に、リングの
0003156912.tif 000004
非磁性体金属の表面に磁性金属を溶着させた発熱リングを挿入した、ＩＨ対応アルミ製釜飯かまどを提供する事、を目的にする。
（ｃ）本考案は、小物検知機の作動範囲より小さな刃釜でも渦電流が発生し、加熱出来
0003156912.tif 000005
流が発生し加熱出来る様にした、ＩＨ対応アルミ製釜飯かまどを提供する事、を目的にす。
【課題を解決する為の手段】
【０００５】上記課題を解決する為には、小物検知器の範囲以内に於いても渦電流が発生し加熱出来る様に、アルミ製の刃釜の底部外周に磁性金属を溶着し、さらに渦電流の発生の助長に寄与する別途発熱リングを挿入する事で、アルミ製の刃釜（釜飯鍋）が電磁調理器に使用する事が出来る事を特徴とする。
【考案の効果】
【０００６】請求項１に係わる考案は、非磁性金属で作られた刃釜の底部外周に、磁性金属を溶射し磁性金属を溶着する事で、電磁調理器の磁束を吸収し渦電流を発生さす機能を付加した状態のものとする。
【０００７】さらに、刃釜底部の外周に一定の間隔を隔てて添わせる形でリング状の発熱体を作り組み合わせる事とし、リング状の発熱体は、磁性金属或いは非磁性金属の表面に磁性金属を溶着させ、刃釜底部外周とリング状発熱体をかえして、渦電流を発生させ刃釜底部外周とリング状発熱体が一対の発熱部になる様に構成する。
【０００８】そうする事で、刃釜底部外周と一定間隔の隙間をかえして磁束吸収面積が広がり、電磁調理器からの磁束が吸収され、刃釜とリング状の発熱体が加熱可能となる。
【０００９】請求項２に係わる考案は、電磁調理器にはある一定の大きさ以内の小物を置いた場合、安全の為に渦電流の発生を防止する小物検知機能が付加されている。刃釜の様に底部が小さい物は、小物検知器の作動範囲に入りそのままでは、磁性金属を溶着しても渦電流の発生は見込めない。
【００１０】
0003156912.tif 000006
単独では加熱出来ない事となる。
【００１１】
0003156912.tif 000007
釜と組み合わせる事で、刃釜底部外周とリング状発熱体をかえして渦電流を発生させる事が出来る事から一対の発熱部になる。
【００１２】さらに、リング状の発熱体の肉厚が薄いと発熱の際の熱変形が考えられるので、リング状の発熱体を３ｍｍ以上の肉厚に形成さす事で熱変形の影響も無くす事が出来る。
【００１３】請求項３に係わる考案は、さらに小さな底部を持つ刃釜に対し渦電流を発生さす為に、
0003156912.tif 000008
成さす事で同様の渦電流を発生さす事が出来る。
【００１４】ただし、非磁性金属の場合はリング状の発熱体の全周（内面及び外面）に磁性金属を溶着しないと渦電流は発生しない。
【考案を実施するための最良の形態】
【００１５】内径１２ｃｍ肉厚３ｍｍ以上の磁性体或いは非磁性体の表面に磁性金属を溶着したリング状の発熱体の中に、底部外周に磁性金属を溶着させた刃釜を挿入させる。但し、刃釜のつばがリング状の発熱体に乗った形、また刃釜の底部は電磁調理器のトッププレートに接するように設置さす。そうする事で、小物検知器の作動範囲に有る刃釜の底部と、リング状の発熱体の間には若干の隙間が開くが、一対の磁束吸収面積が得られ、刃釜底部から吸収された磁束は、リング状の発熱体をかえして渦電流を発生し、加熱が可能となる。【００１６】さらに小さな底部を持つ刃釜に対しては、請求項３のリング状発熱体を刃釜と組み合わせる事で同様の効果を得られる。
【実施例１】この考案の実施例を図１、図２、図３、図４、に示す。先ず、図１のＩＨ対応アルミ製釜飯かまどの概要について述べる。【００１７】図１は、刃釜をのせて固定するハカマ６に、渦電流の発生を助長する為のリング状の発熱体２−１或いは２−２を挿入し、さらにリング状の発熱体の中に落としこむ形で、底部外周を磁性金属で溶着した釜飯用刃釜１を組み込んである。【００１８】渦電流の発生を助長する為のリング状の発熱体２−１或いは２−２は、小物検知器の範囲７と同径か、やや大きめのリング状で出来ている。材質は磁性金属製２−１（Ｆｅ・ＳＵＳ４３０・Ｎｉ等）か、又は非磁性金属製２−２（Ａｌ・Ｃｕ等）に溶射法で磁性金属を溶着したもので形成されている。【００１９】刃釜の底部は、小物検知器の範囲内７より小さいが、渦電流の発生を助長する為のリング状の発熱体２−１或いは２−２が、小物検知器の検知範囲７と同径か、やや大きい為磁力発生コイル５から生じた磁束８は、釜飯用刃釜１の底部外周かえして渦電流を助長する為の、リング状の発熱体２−１或いは２−２の内周にかけて、渦電流を発生させ釜飯用刃釜１を加熱する。【００２０】図２は、釜飯用刃釜１とリング状の発熱体２−１或いは２−２の，どの部分に渦電流が発生しているかを表した概略図である。【００２１】磁力発生コイルから生じた磁束は、釜飯用刃釜１の底部と底部外周をかえして、リング状の発熱体２−１或いは２−２に作用する事になる。【００２１】すると、釜飯用刃釜１の底部と底部外周に渦電流９が発生し加熱される。同様にリング状の発熱体２−１或いは２−２の内周にも渦電流９が発生し加熱する。【００２２】図３は、挿入する磁性体で出来たリング状の発熱体２−１或いは非磁性体で出来たリング状の発熱体２−２の断面図である。【００２３】リング状の発熱体２−１は、磁性体（Ｆｅ・ＳＵＳ４３０・Ｎｉ等）で形成され、２−２は非磁性体（Ａｌ・Ｃｕ等）で形成されている。【００２４】また、リング状の発熱体２−１或いは２−２は、上部に嵌合用のツバ１１を設け、ハカマに固定される。【００２５】リング状の発熱体２−１或いは２−２の内径は、小物検知範囲７と同径か、それよりも若干大きく作られ、磁束の影響を受けやすい位置に配する様に構成され、磁束の影響を受けたリング状の発熱体２−１或いは２−２は内面に渦電流９を発生する。【００２６】図４は、挿入する釜飯用刃釜がより小さく、リング状の発熱体２−１或いは２−２との隙間が大きく、刃釜底部をかえしてリング状の発熱体２−１或いは２−２に生ずる渦電流の発生が阻害されるのを防ぐ為、リング状の発熱体２−１或いは２−２の下部を、小物検知範囲７よりも内側に入り込む形に絞り１２異形を付けたくびれ構造とする。【００２７】絞り１２加工を施した非磁性体で形成されたリング状の発熱体２−２は、内周のみの磁性金属３の溶着では磁束を吸収できないので、外周にも磁性金属３を溶着させている。
【図面の簡単な説明】
【００５０】
【図１】  電磁調理器用発熱ゴトクの実施形態図
【図２】  リング状発熱体と刃釜の渦電流を示す説明図
【図３】  縁にリング状のツバを設けたリング状発熱体の断面図
【図４】  異形で出来たリング状発熱体を示す断面図
【符号の説明】
【００５１】    １釜飯用刃釜
２−１リング状発熱体（磁性体の場合）
２−２リング状発熱体（非磁性体の場合）
３磁性金属（溶射法による溶着）
４トッププレート
５磁力発生コイル
６ハカマ
0003156912.tif 000009
８磁束
９渦電流発生部（加熱部）
１０リング状発熱体の肉厚（厚さ３ｍｍ以上）
１１嵌合用ツバ
１２絞り
0003156912.tif 000010
【図１】
0003156912.tif 000013
【図２】
0003156912.tif 000014
【図３】
0003156912.tif 000015
【図４】
0003156912.tif 000016
【手続補正書】
【提出日】平成21年9月4日(2009.9.4)
【手続補正１】
【補正対象書類名】実用新案登録請求の範囲
【補正対象項目名】全文
【補正方法】変更
【補正の内容】
【実用新案登録請求の範囲】
【請求項１】
磁性金属や非磁性金属の表面に磁性金属を溶着させて出来た、内径が１２ｃｍ以上のリング状発熱体と、アルミ製刃釜の底部外周に磁性金属を溶着させ電磁対応化した刃釜の両方を組み合わせ、アルミ製のハカマに挿入する事で、リング状の発熱体と電磁対応化した刃釜の両方の間に渦電流を発生させ、電磁誘導加熱を行えるようにした、ＩＨ対応アルミ製釜飯かまど。
【請求項２】
電磁調理器に採用されている小物検知器（直径１２ｃｍ以内の範囲にある小物には電磁誘導がかからないように渦電流防止機能が組み込まれている）を避けて電磁誘導を発生さす為、内径を１２ｃｍ以上の磁性金属や非磁性金属表面に磁性金属を溶着させて出来たリング状の発熱体。
さらに、発熱時の熱変形を防ぐ為に、３ｍｍ以上の肉厚を設けた請求項１に記載されたリング状の発熱体を有する、ＩＨ対応アルミ製釜飯かまど。
【請求項３】
小物検知器の作動範囲より小さな底面を有した刃釜でも、渦電流を発生させ加熱させる様に発熱リングの底部を、内径１１ｃｍに絞り渦電流を発生出来る様に形成した、請求項１に記載されたリング状の発熱体を有する、ＩＨ対応アルミ製釜飯かまど。
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
磁性金属又は非磁性金属の表面に磁性金属を溶着させた内径が１２ｃｍ以上のリング状発熱体と、刃釜底部の外周に磁性金属を溶着させたアルミ製刃釜と、アルミ製のハカマとを備え、前記リング状発熱体と前記アルミ製刃釜とを組み合わせた状態で前記ハカマに挿入する事で、前記リング状発熱体と前記アルミ製刃釜の両方の間に渦電流を発生させ、電磁誘導加熱を行えるようにした、ＩＨ対応アルミ製釜飯かまど。
【請求項２】
発熱時の熱変形を防ぐ為に、前記リング状発熱体の肉厚を３ｍｍ以上にしたことを特徴とする、請求項１に記載のＩＨ対応アルミ製釜飯かまど。
【請求項３】
前記リング状発熱体は、小物検知器の作動範囲より小さな底面を有した刃釜でも、渦電流を発生させ加熱させる様に、リング底部を内径１１ｃｍに絞って形成されることを特徴とする、請求項１に記載のＩＨ対応アルミ製釜飯かまど。